(57)【要約】      （修正有）【課題】開閉用カンヌキと表示体を一体的に連結し、構成を簡素化して、低コストで各種のオフィス収納庫に共通適用することが可能な施錠・解錠表示付き錠前装置を提供する。【解決手段】引き手部分のハウジングの前面に鍵穴に対応して取り付けられたシリンダ錠の回転軸の端面に、引き手部分の板面と平行に押し爪が固定され、また回転軸には開閉用カンヌキが押し爪との間に回動自由に軸着されていて、開閉用カンヌキに設けた係合手段を押し爪が押して開閉用カンヌキが開閉の操作をするようになっており、引き手部分のハウジングの前面に設けた表示窓に対応する引き手部分のハウジング内部には、表示板が回動自由に軸着されていて、表示板の板面に突設したピンレバーが前記開閉用カンヌキに係合して回動するよう構成される。【選択図】図４
0003128794.tif 000002
【実用新案登録請求の範囲】
【請求項１】
引き手部分のハウジングの前面に鍵穴に対応して取り付けられたシリンダ錠の回転軸の端面に、引き手部分の板面と平行に押し爪が固定され、また回転軸には開閉用カンヌキが押し爪との間に回動自由に軸着されていて、開閉用カンヌキに設けた係合手段を押し爪が押して開閉用カンヌキが開閉の操作をするようになっており、
引き手部分のハウジングの前面に設けた表示窓に対応する引き手部分のハウジング内部には、表示板が回動自由に軸着されていて、表示板の板面に突設したピンレバーが前記開閉用カンヌキに係合して回動するよう構成されており、
前記開閉用カンヌキが施錠の状態では表示板の施錠表示が表示窓に表示されており、開閉用カンヌキが鍵の操作によって開錠の状態になったときには表示板も回転して開錠表示が表示窓に表示されるようにしたことを特徴とする施錠・解錠表示付き錠前装置。
【請求項２】
開閉用カンヌキに設けた係合手段が、開閉用カンヌキの外側の面に突設したフック体からなることを特徴とする請求項１記載の施錠・解錠表示付き錠前装置。
【請求項３】
表示板の板面に突設したピンレバーは、表示板の軸着部分に取り付けたコイルバネの一端部を係合され、表示板が常態では施錠もしくは開錠のいずれかの状態を表示する位置に保持されるようになっていることを特徴とする請求項１または２記載の施錠、解錠表示付き錠前装置。
【請求項４】
開閉用カンヌキは、回転軸への取付リング部分に所定の間隔で２個所の凹部が形成してあり、回転軸の下方に取り付けた板バネの凸部がこの凹部に係合するようになっていて、一方の凹部は板バネを係合して開閉用カンヌキを開錠の状態に保持し、他方の凹部は板バネを係合して開閉用カンヌキを施錠の状態に保持するようにしたことを特徴とする請求項１ないし３のいずれかに記載の施錠、解錠表示付き錠前装置。
【考案の詳細な説明】
【技術分野】
【０００１】
この考案は施錠・解錠表示付き錠前装置に関し、扉の前面で施錠・開錠表示部を設けることにより、施錠・開錠の状態を目で確認することができ、鍵を差し込んで前部確認する必要のない施錠・解錠表示付き錠前装置を提供しようとするものである。
【背景技術】
【０００２】
従来、ロッカー等の収納庫の扉等における簡易な施錠視認装置に関するものとしては、収納庫の扉の裏側に設けた引手カバーには、長手方向に作動杆を貫通保持し、上保持管の外周面に係合片、下保持管の外周面に停止リブを突設し、これら上・下保持管を回動自在に作動杆を介して縦設し、扉の前面にはラッチレバーを設け、下保持管の停止リブに係合するように、錠前作動片を配設し、錠前作動片には連結ロック部材を介して、一体的に施錠・解錠を表示色分けした表示片を形成し、表示片の表示色分け部分が視認できる表示窓を、扉体の表面に設けた施錠・解錠表示付き錠前装置（特開平８−１２８２４３号公報  特許文献１参照）が存在している。
【特許文献１】特開平８−１２８２４３号公報
【考案の開示】
【考案が解決しようとする課題】
【０００３】
しかしながら、前記の従来技術において、機密の保持などで錠前の施錠は必要条件である。特にあわただしい退社の際は個々の収納家具が施錠されているかどうかの確認は時間がかかり労力を要すると同時に、構成が複雑であるという問題点があった。
【０００４】
本考案はこれらの事情に鑑み、これを解決するために、開閉用カンヌキと表示体を一体的に連結構成して、施錠・開錠の状態を簡単な機構で色分け等により表示する方法を採用することにより、簡単に視認でき、個々の鍵を差し込んで施錠の確認をする必要がなくなり、時間的労力が節減できる。かつ開閉用カンヌキと表示体を一体的に連結し、構成を簡素化して、低コストで各種のオフィス収納庫に共通適用することが可能な施錠・解錠表示付き錠前装置を提供することを目的とするものである。
【課題を解決するための手段】
【０００５】
本考案の施錠・解錠表示付き錠前装置は、前記課題を解決するために次の技術手段を採用した。
請求項１記載の考案においては、引き手部分のハウジングの前面に鍵穴に対応して取り付けられたシリンダ錠の回転軸の端面に、引き手部分の板面と平行に押し爪が固定され、また回転軸には開閉用カンヌキが押し爪との間に回動自由に軸着されていて、開閉用カンヌキに設けた係合手段を押し爪が押して開閉用カンヌキが開閉の操作をするようになっており、
引き手部分のハウジングの前面に設けた表示窓に対応する引き手部分のハウジング内部には、表示板が回動自由に軸着されていて、表示板の板面に突設したピンレバーが前記開閉用カンヌキに係合して回動するよう構成されており、
前記開閉用カンヌキが施錠の状態では表示板の施錠表示が表示窓に表示されており、開閉用カンヌキが鍵の操作によって開錠の状態になったときには表示板も回転して開錠表示が表示窓に表示されるようにしたことを特徴とする。
【０００６】
また、請求項２記載の考案においては、開閉用カンヌキに設けた係合手段が、開閉用カンヌキの外側の面に突設したフック体からなることをも特徴とする。
【０００７】
また、請求項３記載の考案においては、表示板の板面に突設したピンレバーが、表示板の軸着部分に取り付けたコイルバネの一端部を係合され、表示板が常態では施錠もしくは開錠のいずれかの状態を表示する位置に保持されるようになっていることをも特徴とする。
【０００８】
請求項４記載の考案においては、開閉用カンヌキは、回転軸への取付リング部分に所定の間隔で２個所の凹部が形成してあり、回転軸の下方に取り付けた板バネの凸部がこの凹部に係合するようになっていて、一方の凹部は板バネを係合して開閉用カンヌキを開錠の状態に保持し、他方の凹部は板バネを係合して開閉用カンヌキを施錠の状態に保持するようにしたことをも特徴とする。
【考案の効果】
【０００９】
本考案は、以上の構成に基づき次の効果を得ることができる。すなわち、請求項１、請求項２、請求項３または請求項４の考案においては、
（１）施錠されているか、いないかの視認ができ、鍵をさし込んで全部確認する必要がない。
（２）開閉用カンヌキの操作と表示体の操作を一体化し、構成を簡単にできた。
（３）低コストで各種のオフィス収納家具に同一のもので共通に適用が可能である。
さらに、以上の効果に加えて、
（４）請求項１記載の考案においては、複雑な機構を必要とせず、錠前を回転させることにより、一体化されている開閉用カンヌキと施錠・解錠表示体が同時に回動し、表示窓で表示を視認することができると同時に、引き手部分のハウジング内に全体を収納できるものである。
（５）請求項２記載の考案においては、複雑な機構を必要とせず、開閉用カンヌキを回転させることができるものである。
（６）請求項３記載の考案においては、複雑な機構を必要とせず、表示体を回転させることができると同時に、表示体を下のポジションに自動復帰できるようにしたものである。
（７）請求項４記載の考案においては、開閉用カンヌキの施錠もしくは開錠の状態の保持に複雑な機構を必要としないように構成したものである。
【考案を実施するための最良の形態】
【００１０】
以下、本考案の施錠・解錠表示付き錠前装置の実施の形態を、添付図面に基いて詳細に説明する。
図１は施錠・解錠表示付き錠前装置の開錠状態を示す正面図、図２はその側面図、図３はその背面図、図４は背面板を外した状態の背面図、図５は施錠状態を示す正面図、図６はその平面図、図7はその側面図、図８はその背面図、図９は背面板を外した状態の背面図である。
【００１１】
図１ないし図９に基づいて、本考案の施錠・解錠表示付き錠前装置の１実施例について詳細に説明すると、本考案の施錠・解錠表示付き錠前装置は、扉の引き手部分１１に設けられている。
【００１２】
本考案の施錠・解錠表示付き錠前装置を構成する引き手部分２１のハウジングには、図１に示すように外面にシリンダ錠１の鍵穴２と、表示窓３とが現れているのみである。
図１ないし図９、とりわけ背面板２３を外した状態の図４および図９に基いて引き手部分２１のハウジングの内部構造を説明すると、前記シリンダ錠１の回転軸４の端面には、引き手部分２１の板面と平行に所定の間隔で後述のフック体７との係合部５−１，５−２を形成した押し爪５が固定されており、前記回転軸４には開閉用カンヌキ６が押し爪５との間に回動自由に軸着されている。７は開閉用カンヌキ６の外側の面に突設したフック体である。
【００１３】
そして、開閉用カンヌキ６を施錠の状態にするには、図４の開錠の状態から前記鍵穴２に鍵２２を差し込んでシリンダ錠１を操作し、回転軸４を回動させて押し爪５をも回動させ、押し爪５の、当初開閉用カンヌキ６のフック体７に面していた係合部５−１と反対側の係合部５−２をフック体７に係合させて開閉用カンヌキ６を回動させ、図９の開錠の状態まで約９０°回転させるのである。
８は前記開閉用カンヌキ６を開錠の状態で係止するための開ストッパ、９は開閉用カンヌキ６を施錠の状態で係止するための閉ストッパである。なお、前記開閉用カンヌキ６には開ストッパ８と係合するための切欠き１０が設けられている。
開閉用カンヌキ６を開錠の状態にするには、前記鍵穴２に鍵２２を差し込んでシリンダ錠１を操作し、回転軸４を逆方向に回動させればよい。
【００１４】
前記開閉用カンヌキ６の回転軸４への取付リング１１には所定の間隔で２個所の凹部１２，１３が形成されており、回転軸３の下方に取り付けた板バネ１４の凸部１５がこの凹部１２，１３に係合するようになっている。
すなわち、凹部１２は板バネ１４を係合して開閉用カンヌキ６を開錠の状態に保持しておくためのものであり、凹部１３は板バネ１４を係合して開閉用カンヌキ６を施錠の状態に保持しておくためのものである。
【００１５】
次に、透明カバーを取り付けた前記表示窓３に対応する引き手部分２１のハウジング内部には、扇形の表示板１６が回動自由に軸着されている。
この扇形の表示板１６は、その一方の側端に突設したピンレバー１７に表示板１６の軸着部分に取り付けたコイルバネ１８の一端部を係合して、常態では施錠の状態を表示する位置に保持されるようになっている。
【００１６】
また、表示板１６は例えば、ほぼ中央を境にして赤と青とに色分けされており、図９のように上を青色、下を赤色としてある。したがって、前記開閉用カンヌキ６が図９の施錠の状態では表示板１６の赤色部分が表示窓３に表示されており、開閉用カンヌキ６が鍵２２の操作によって図４の開錠方向に移動するにともなって開閉用カンヌキ６の側面がピンレバー１７を押し、図４の開錠の状態になった時点で表示板１６も回転して青色部分が表示窓３に表示されるようになるのである。
【００１７】
この状態でピンレバー１７がコイルバネ１８によって開閉用カンヌキ６を施錠方向に押しても、凹部１２の板バネ１４が開閉用カンヌキ６を開錠の状態に保持する力のほうが強いので、表示板１６が勝手に回転することはない。
【００１８】
もちろん、開閉用カンヌキ６を施錠方向に移動させると、開閉用カンヌキ６とピンレバー１７との係合が外れた段階で、表示板１６はコイルバネ１８に押されて自動的に施錠の状態の表示にもどり、赤色部分が表示窓３に表示されるようになる。
【００１９】
図２、図４、図６において、１９は引き手部分２１のハウジングの上部に取り付けた係止体で、その軸着部分には戻しバネ２０が弾発状態で取り付けられている。この係止体１９は扉（図示せず）の受け枠に設けた受け部に係合し、本考案の施錠・解錠表示付き錠前装置を取り付けた扉が開錠の状態で勝手に開閉してしまうことを防止するためのものである。
係止体１９の凸状部分の両側にはそれぞれ円弧状の傾斜面が形成してあり、前記受け部に無理なく押し込み、あるいは引き抜くことができるようになっている。
【００２０】
この本考案の施錠・解錠表示付き錠前装置は前記のごとき構造であるから、図１ないし図４の開錠の状態において鍵穴２に鍵２２を差し込んでシリンダ錠１を操作し、回転軸４を時計回りと逆方向に回動させれば、回転軸４とともに押し爪５が回動して開閉用カンヌキ６を施錠方向に回動させ、図５ないし図９の施錠の状態とすることができる。
その際、図１ないし図４の開錠の状態において青色部分が表示窓３に表示されていた表示板１６は、開閉用カンヌキ６が鍵２２の操作によって図４の開錠方向に移動するにともなって、開閉用カンヌキ６とピンレバー１７との係合が外れた段階で、表示板１６はコイルバネ１８に押されて自動的に施錠の状態の表示にもどり、赤色部分が表示窓３に表示されるようになる。
【００２１】
次に、図５ないし図９の施錠の状態において鍵穴２に鍵２２を差し込んでシリンダ錠１を操作し、回転軸４を時計回りに回動させれば、回転軸４とともに押し爪５が回動して開閉用カンヌキ６を開錠方向に回動させ、図１ないし図４の施錠の状態とすることができる。
その際、図５ないし図９の施錠の状態において赤色部分が表示窓３に表示されていた表示板１６は、開閉用カンヌキ６の側面がピンレバー１７を押し、図４の開錠の状態になった時点で表示板１６も回転して青色部分が表示窓３に表示されるようになるのである。
【００２２】
上記において表示体１５の表面には異なる色彩等による色分けが施されている。この表示体１５には、例えば色分け部分の相当位置に段部を設け、これに青色、赤色等の色表示片を貼着してもよい。
もちろん、「開」、「閉」や「ＯＰＥＮ」、「ＣＬＯＳＥ」などの適当な文字などを表示体１５に記載してもよい。
【産業上の利用可能性】
【００２３】
本考案は、ロッカーやキャビネット等のオフィス等における収納庫の扉の開閉操作に適用することができることはもちろん、その他の扉の開閉状態を確認することが要請される種々の用途に応用することができることはいうまでもない。
【図面の簡単な説明】
【００２４】
【図１】施錠・解錠表示付き錠前装置の開錠状態を示す正面図である。
【図２】その側面図である。
【図３】その背面図である。
【図４】背面板を外した状態の背面図である。
【図５】施錠状態を示す正面図である。
【図６】その平面図である。
【図７】その側面図である。
【図８】その背面図である。
【図９】背面板を外した状態の背面図である。
【符号の説明】
【００２５】
１  シリンダ錠
２  鍵穴
３  表示窓
４  回転軸
５  押し爪
５−１，５−２  係合部
６  開閉用カンヌキ
７  フック体
８  開ストッパ
９  閉ストッパ
１０  切欠き
１１  取付リング
１２，１３  凹部
１４  板バネ
１５  凸部
１６  表示板
１７  ピンレバー
１８  コイルバネ
１９  係止体
２０  戻しバネ
２１  引き手部分
２２  鍵
２３  背面板
【図１】
0003128794.tif 000003
【図２】
0003128794.tif 000004
【図３】
0003128794.tif 000005
【図４】
0003128794.tif 000006
【図５】
0003128794.tif 000007
【図６】
0003128794.tif 000008
【図７】
0003128794.tif 000009
【図８】
0003128794.tif 000010
【図９】
0003128794.tif 000011